(57)【要約】      （修正有）【課題】高効率で紡績糸を乾燥させ、紡績糸が焼かれず、エネルギー消費量が低く、作業効率が高い高効率紡績乾燥器を提供する。【解決手段】加熱装置２及び本体９を備える高効率紡績乾燥器であって、加熱装置２は本体９の頂部に配置され、本体９の底部にはプーリースタンドａ８が配置され、本体９の片側の内壁にはプーリースタンドｂ８２が配置され、プーリースタンドａ８及びプーリースタンドｂ８２には共に糸ガイドローラ７が取り付けられており、本体９の他側の内壁には入線スタンド１が配置されており、プーリースタンドｂ８２の下には出線スタンド６が配置され、本体９の頂部には温度測定器３が配置され、温度測定器３の他側には警告灯４が配置され、温度測定器３と警告灯４は信号検出装置１０を介して接続され、加熱装置２の下には乾燥ファン５が配置され、本体９の片側内壁には除湿装置１１が入線スタンド１の下に配置される。【選択図】図１
0003222167.tif 000002
【実用新案登録請求の範囲】
【請求項１】
加熱装置（２）及び本体（９）を備える高効率紡績乾燥器であって、前記加熱装置（２）は前記本体（９）の頂部に配置され、前記本体（９）の底部にはプーリースタンドａ（８）が配置されており、前記本体（９）の片側の内壁にはプーリースタンドｂ（８２）が配置され、前記プーリースタンドａ（８）及びプーリースタンドｂ（８２）には共に糸ガイドローラ（７）が取り付けられており、前記本体（９）の他側の内壁には入線スタンド（１）が配置されており、前記プーリースタンドｂ（８２）の下には出線スタンド（６）が配置され、前記本体（９）の頂部には温度測定器（３）が配置され、前記温度測定器（３）の他側には警告灯（４）が配置され、前記温度測定器（３）と前記警告灯（４）は信号検出装置（１０）を介して接続され、前記加熱装置（２）の下には乾燥ファン（５）が配置され、前記本体（９）の片側内壁には除湿装置（１１）が配置され、前記除湿装置（１１）が前記入線スタンド（１）の下に位置していることを特徴とする高効率紡績乾燥器。
【請求項２】
前記プーリースタンド（８）は矩形スタンドであることを特徴とする請求項１に記載の高効率紡績乾燥器。
【請求項３】
前記除湿装置（１１）の表面には複数の吸気孔が設けられていることを特徴とする請求項１に記載の高効率紡績乾燥器。
【請求項４】
前記本体（９）の内部に保温層（１２）が配置されていることを特徴とする請求項１に記載の高効率紡績乾燥器。
【考案の詳細な説明】
【技術分野】
【０００１】
本考案は、紡績技術分野に関し、具体的には高効率乾燥器である。
【背景技術】
【０００２】
紡績乾燥設備は、天然繊維や化学繊維を紡績糸に加工して、乾燥させる機械装置である。綿、麻、絹又は毛などの異なる繊維を紡績品に加工するために必要なプロセスは同じではなく、全く異なるものもある。従って、必要なマシンも様々あり、種類が多い。既存の各種類の紡績設備は、高効率且つ便利で人々の必要に応じた紡績品を生産できる。よく知られているように紡績乾燥箱は、紡績品の生産に不可欠な生産設備の一つである。紡績乾燥箱の品質は紡績品の品質に影響を与える。既存の様々な紡績乾燥設備は、便利で人々の必要に応じる紡績糸を生産できる。しかしながら、紡績糸の乾燥プロセスでは、温度が制御できなくため、効率的ではない。これらの欠点は紡績製品の品質に深刻な影響を与えることになり、消費者の購入意欲は下がってしまう。既存の紡績設備のほとんどは、温度に対する表示検出機能を備えていないため、適時に温度を調整して温度暴走が繰り返して発生するのを避けることができない。したがって、紡績糸の生産に現状で必要とされていることを満たすことができない。また、既存の乾燥設備は消費電力が大きく、効果が不十分である。
【考案の概要】
【考案が解決しようとする課題】
【０００３】
本考案の目的は、上記の背景技術における問題を解決するための高効率紡績乾燥器を提供することである。
【課題を解決するための手段】
【０００４】
上記の目的を実現するために、本考案は以下の技術的解決手段を採用する。加熱装置及び本体を備える高効率紡績乾燥器であって、前記加熱装置は、本体の頂部に配置されている。前記本体の底部には、プーリースタンドｂが配置されている。前記プーリースタンドａ及びプーリースタンドｂには、糸ガイドローラが取り付けられている。前記本体の他側の内壁には、入線スタンドが配置されている。前記プーリースタンドｂの下には、出線スタンドが配置されている。前記本体の頂部には、温度測定器が配置されている。前記温度測定器の片側には、警告灯が配置されている。前記温度測定器と前記警告灯は、信号検出装置を介して接続されている。前記加熱装置の下には、乾燥ファンが配置されている。前記本体の片側内壁には、除湿装置が配置されている。前記除湿装置は、入線スタンドの下に位置している。
【０００５】
好ましくは、前記プーリースタンドは矩形である。
【０００６】
好ましくは、前記除湿装置の表面には、複数の吸気孔が設けられている。
【０００７】
好ましくは、前記本体内部には保温層が配置されている。
【考案の効果】
【０００８】
従来技術と比較した本考案の有益な効果は、以下の通りである。この高効率紡績乾燥器は、構造が安定しており、実用性において優れている。加熱装置は筐体内部を加熱することによって、通過する紡績糸を乾燥させる。２つの糸ガイドローラが配置されていることによって、筐体内の紡績糸の長さが増加し、一回の作業でより多い材料を乾燥させることができ、より高効率で、乾燥効果が向上する。本体内部には除湿装置が配置されていることにより、更に大分子の水蒸気を乾燥させることができ、本体には乾燥ファンが配置されていることにより、更に高効率且つ高速で紡績糸を乾燥させ、合理的に乾燥効果を向上させることができる。また、本体には温度測定器及び警告装置が配置されており、乾燥温度が高すぎる場合に、温度測定器によって温度信号を収集し、温度検出装置が温度信号を警報装置に送信する。警報装置がアラートを発したら、装置が自動的に電源を切る。従って、乾燥器の温度が高すぎて紡績糸が焼かれることがない。更にこの乾燥装置は、エネルギー消費量がより低く、作業効率が高く、コストが低く、実用性が高く、工場での量産に適している。
【図面の簡単な説明】
【０００９】
図１は本考案の全体構成概略図である。
【考案を実施するための形態】
【００１０】
本考案に係る実施形態の図面を参照しつつ、本考案の実施形態における技術的解決手段について、明確且つ完全に説明する。説明する実施形態は、本考案の一実施形態であり、全部ではない。本考案の実施形態に基づいて、当業者が創造的な業務を行わない前提の下で得られたすべてのほかの実施形態は、本考案の保護範囲内に属する。
【００１１】
図１を参照されたい、本考案は一つの技術的解決手段を提供する。加熱装置２及び本体９を備える高効率紡績乾燥器である。加熱装置２は、本体９の頂部に配置されている。本体９の底部には、プーリースタンドａ８が配置されている。本体９の片側には、プーリースタンドｂ８２が配置されている。プーリースタンドａ８及びプーリースタンドｂ８２には、糸ガイドローラ７が取り付けられている。本体９の他側の内壁には、入線スタンド１が配置されている。プーリースタンドｂ８２の下には、出線スタンド６が配置されている。本体９の頂部には、温度測定器３が配置されている。温度測定器３の片側には、警告灯４が配置されている。温度測定器３は、警告灯４と信号検出装置１０を介して接続されている。加熱装置２の下には、乾燥ファン５が配置されている。本体９の片側内壁には、除湿装置１１が配置されている。除湿装置１１は入線スタンド１の下に位置している。プーリースタンド８は矩形スタンドである。除湿装置１１の表面には、複数の吸気孔が設けられている。本体９の内部には保温層１２が配置されている。
【００１２】
本考案の動作原理は、下記の通りである。まず、電源を入れて、装置全体の正常動作を確認して、乾燥器内部の除湿装置１１が、装置内部の部品を除湿し始め、除湿装置１１が、表面に設けられる複数の吸気孔を介して、本体９内部のガス交換を行うことによって、除湿効果を得る。そして、まず紡績糸が入線スタンド１を通過して、本体９に入り、糸ガイドローラ７の回転によって進む。紡績糸が加熱装置２の下方を経由するとき、一次乾燥が行われる。加熱装置２の上には温度測定器３が配置されている。温度測定器３の片側は、信号検出装置を介して警告灯４に接続されている。温度が高すぎて温度暴走になる場合には、温度測定器３が温度が高すぎることを検出して、信号検出装置１０によって信号を警告灯４に伝送する。すると、警告灯４の赤いライトが点滅して、装置が自動的に動作を止めて、乾燥器が自動的に電源を切る。警告が生じなければ、紡績糸は、糸ガイドローラ７の回転に伴って、乾燥ファン５の周辺へと進む。乾燥ファン５は、特定温度の熱風で紡績糸を乾燥させる。紡績糸が出線スタンド６を経由して排出されつつ、紡績糸は乾燥され続ける。装置内部に配置された保温層１２によって、装置内が一定温度であることが保証され、材料加工に有利である。
【００１３】
本考案に係る実施形態について表示且つ説明したが、当業者であれば、本考案の原理及び精神から逸脱しない限り、これらの実施形態に対する様々な改変、修正、置換及び変形を行うことができる。本考案の範囲は、添付の実用新案登録請求の範囲及びその均等物によって決定される。
【符号の説明】
【００１４】
１  入線スタンド
２  加熱装置
３  温度測定器
４  警告灯
５  乾燥ファン
６  出線スタンド
７  糸ガイドローラ
８  プーリースタンドａ
８２  プーリースタンドｂ 
９  本体
１０  信号検出装置
１１  除湿装置
１２  保温層
【図１】
0003222167.tif 000003
【手続補正書】
【提出日】令和1年5月7日(2019.5.7)
【手続補正１】
【補正対象書類名】実用新案登録請求の範囲
【補正対象項目名】請求項２
【補正方法】変更
【補正の内容】
【請求項２】
前記プーリースタンドａ（８）は矩形スタンドであることを特徴とする請求項１に記載の高効率紡績乾燥器。
【手続補正２】
【補正対象書類名】明細書
【補正対象項目名】０００５
【補正方法】変更
【補正の内容】
【０００５】
好ましくは、前記プーリースタンドａは矩形である。